(57)【要約】【課題】  使用中のバイオセンサカートリッジ内のバイオセンサの残量確認を容易に行うことができるバイオセンサカートリッジを取り付けたバイオセンサ分与装置を提供する。【解決手段】  板状のバイオセンサをその厚み方向に複数枚重ねて整列させてなるバイオセンサカートリッジを収納可能とし、目的の生体値測定を行う際、バイオセンサカートリッジ内に収納したバイオセンサを、その長手方向へ順次送出するバイオセンサ突き出し手段により、上記バイオセンサを一枚ずつ取り出すようにし、さらに、上記バイオセンサの残量を確認するバイオセンサ残量確認手段を備え、上記バイオセンサ残量確認手段を、上記バイオセンサ突き出し手段の動作回数をカウントするものとした。【選択図】  図１
2008111850.tif 000002
【特許請求の範囲】
【請求項１】
バイオセンサにより検出した電気的データを取得するバイオセンサ分与装置において、
板状のバイオセンサをその厚み方向に複数枚重ねて整列させてなるバイオセンサカートリッジを収納可能とし、目的の生体値測定を行う際、バイオセンサカートリッジ内に収納したバイオセンサを、その長手方向へ順次送出するバイオセンサ突き出し手段により、上記バイオセンサを一枚ずつ取り出すようにし、さらに、上記バイオセンサの残量を確認するバイオセンサ残量確認手段を備え、
上記バイオセンサ残量確認手段は、上記バイオセンサ突き出し手段の動作回数をカウントする、
ことを特徴とするバイオセンサ分与装置。
【請求項２】
請求項１に記載のバイオセンサ分与装置において、
上記バイオセンサ突き出し手段の動作回数のカウントを、電気的または機械的に行う、
ことを特徴とするバイオセンサ分与装置。
【請求項３】
請求項１に記載のバイオセンサ分与装置において、
上記バイオセンサカートリッジの入れ替えに応じて、上記バイオセンサ突き出し手段の動作回数のカウントをリセットする、
ことを特徴とするバイオセンサ分与装置。
【請求項４】
請求項１に記載のバイオセンサ分与装置において、
上記バイオセンサ残量確認手段は、さらに、
上記バイオセンサカートリッジ内に上記バイオセンサの一定枚数ごとにダミーセンサを配置してなる、ものを含む、
ことを特徴とするバイオセンサ分与装置。
【請求項５】
請求項１に記載のバイオセンサ分与装置において、
上記バイオセンサ残量確認手段は、さらに、
当該バイオセンサ分与装置に設けた透明窓を介して上記バイオセンサの残量を目視可能とする、ものを含む、
ことを特徴とするバイオセンサ分与装置。
【請求項６】
請求項１に記載のバイオセンサ分与装置において、
上記バイオセンサ残量確認手段は、さらに、
複数のバイオセンサに通し番号を付与し、該バイオセンサの通し番号の目視により上記バイオセンサの残量を確認する、ものを含む、
ことを特徴とするバイオセンサ分与装置。
【請求項７】
請求項１に記載のバイオセンサ分与装置において、
上記バイオセンサ残量確認手段は、さらに、
上記バイオセンサカートリッジ内に上記バイオセンサの一定枚数ごとにダミーセンサを配置してなるものと、
当該バイオセンサ分与装置に設けた透明窓を介して上記バイオセンサの残量を目視可能とするものと、
複数のバイオセンサに通し番号を付与し、該バイオセンサの通し番号の目視により上記バイオセンサの残量を確認するものと、
のうち、少なくとも２つを含む、
ことを特徴とするバイオセンサ分与装置。
【発明の詳細な説明】
【技術分野】
【０００１】
本発明は、種々の生体試料中の特定成分を定量するバイオセンサ、及びバイオセンサ測定機能を有するバイオセンサカートリッジ、及びそれを取り付けたバイオセンサ分与装置に関し、特に、複数枚のバイオセンサを格納し、該バイオセンサを順次送出し、複数回の測定が可能なバイオセンサカートリッジを取り付けたバイオセンサ分与装置に関するものである。
【背景技術】
【０００２】
近年、酵素の有する特異的触媒作用を利用した種々のバイオセンサが開発され、臨床分野への応用が試みられているなかで、特に迅速に、かつ精度よく測定することができるバイオセンサが実用化されている。
【０００３】
例えば、グルコースセンサでは、糖尿病患者数の増加が著しい今日、血糖値を測定し管理するには、従来のように血液を遠心分離して血しょうを測定するのでは非常に煩雑な手順を要するため全血で測定することができるセンサが要望されていた。このようなバイオセンサを実現するものとして、特開昭６１−２９４３５１号公報に記載のバイオセンサが挙げられる。この技術を用いた測定方法によれば、専用測定器より、センサの電極系へ所定の電圧を供給して電極間に流れる電流値を計測し、計測して得られた信号をもとに試料液中の基質濃度を計算し、その値を測定器の表示部に表示するものである。
【０００４】
また、バイオセンサ、及びその測定器の形態についても、特開平８−２６２０２６号公報に記載される、バイオセンサを複数個セットしたバイオセンサカートリッジを用い、測定器に装填し、ノブ操作を行うことにより、複数回の測定が行えるバイオセンサ分与装置が開発されており、高齢者の多い糖尿病患者等の使用者に対し、測定使用上において、センサを測定器本体の取り付け口に取り付けるとき、誤ってセンサを落としてしまったり、あるいはセンサを逆方向に挿入したり、さらには逆方向に挿入したままで計測を行う場合など、煩雑な面が改善されてきている。
【０００５】
図１０に、従来のバイオセンサを用いたバイオセンサ分与装置の斜視図を示す。乾燥剤材料がその中に配置された、対応する乾燥剤キャビティー３１１とも流体連絡している、センサ保持キャビティー３１２内にそれぞれ配置された、複数の血中グルコースセンサ（バイオセンサ）を包有する、概略円形をなすバイオセンサパック（バイオセンサカートリッジ）３１０を受け入れるよう適合させたバイオセンサ分与装置３００であり、該バイオセンサ分与装置３００は、上部ケース３０１、及び下部ケース３０２を有し、該上部ケース３０１と下部ケース３０２とが、二枚貝の殻のようにして互いに相対的に回動し、バイオセンサパック３１０をその中で用いるように位置させることができる、外側ハウジング３０３を有する。バイオセンサパック３１０をハウジング内にそのように配置し、ハウジングの上部ケース３０１上に配置されたスライドアクチュエータ３０６上のスライドラッチ３１４が、表示／データ処理モード、または試験モードへの装置の設定を制御する。
【０００６】
このバイオセンサ分与装置は、スライドラッチ３１４をその表示モード、すなわちスライドアクチュエータ３０６上の側位へと移動することによって、その表示モードに設定される。そして、スライドアクチュエータ３０６を、装置ハウジングの後部付近のその待機位置から装置ハウジングの前端へ押すと、装置の使用者は、上部ケース３０１内のディスプレイユニット（図示せず）に表示されるデータを視認し、及び／又は上部ケース３０１の後部の手動ボタン（図示せず）を介して装置にデータを入力することができる。一方、スライドラッチ３１４が試験モードにあり、スライドアクチュエータ３０６をその待機位置から装置ハウジングの前端付近のその試験位置へと押したとき、装置はその試験位置にある。そして、スライドアクチュエータ３０６をその起動された、又は、試験の位置へと押した際には、バイオセンサは、センサ保持キャビティー３１２の一つ一つから放出されるため、その試験位置に置かれて、バイオセンサの試験端が、ハウジングの試験端３０５から突出し、センサ上の接点が、外側ハウジング３０４の上部の二枚貝シェル内に配置されたプリント配線基板のマイクロプロセッサ（図示せず）及び／又は他のデータ処理回路に結合される。その結果、試験しようとする血液に挿入したとき、センサから得られるデータを処理することができる。次いで、処理されたデータは、装置の上部ケース３０１内の前記ディスプレイユニットに表示するか、又はその後、データポートコネクタ（図示せず）を介して他の分析用機器に供給するために蓄えることができる。
【０００７】
血液分析試験を完了したならば、スライドアクチュエータ３０６を、装置ハウジングの後部に向けて反対方向に、その待機位置へと移動する。スライドアクチュエータ３０６をその試験位置から元に戻すにつれて、バイオセンサがバイオセンサ分与装置３００から取り外され、バイオセンサパック３１０を前進（回転）させた結果、もう一つのバイオセンサが、バイオセンサパック３１０から放出され、実施しようとする次回の血中グルコース試験に用いることができる。
【０００８】
バイオセンサ分与装置は、外側ハウジング３０３の上部二枚貝シェル部分の後部にデータポートコネクタ（図示せず）に隣接して配置された、手動ボタン（図示せず）を更に有する。これらのボタンは、装置の使用者が、プリント配線基板上の電気部品にデータを入力するか、又は実施している試験に関する情報を得るために用いられる。実施された試験に関するデータが、プリント配線基板の電気回路に蓄積されたならば、このデータは、やはり装置ハウジングの上部二枚貝シェル部分の後部に取り付けられた、データポートコネクタを介して、他の監視用またはコンピュータ機器へと伝達することができる。
【特許文献１】特開昭６１−２９４３５１号公報
【特許文献２】特開平０８−２６２０２６号公報
【発明の開示】
【発明が解決しようとする課題】
【０００９】
しかしながら、上記従来のバイオセンサカートリッジ、及びそれを取り付けたバイオセンサ分与装置によれば、個々のバイオセンサを平面的に配列しなければならないために、バイオセンサカートリッジ自体の占有面積が大きくなるという課題があった。また、バイオセンサカートリッジ内部に収納された、測定可能なバイオセンサの残量がわからないなど、使用者にとって、非常に不便なものであった。
【００１０】
本発明は、かかる問題点を解消するためになされたものであり、バイオセンサ分与装置内部に取り付けるバイオセンサカートリッジの占有面積を小さくし、簡易な手動操作で、バイオセンサカートリッジに収納されたバイオセンサを順次送出することができ、さらに使用中のバイオセンサカートリッジ内のバイオセンサの残量確認を容易に行うことができるバイオセンサ分与装置を提供することを目的とする。
【課題を解決するための手段】
【００１１】
本発明の請求項１に係るバイオセンサ分与装置は、バイオセンサにより検出した電気的データを取得するバイオセンサ分与装置において、板状のバイオセンサをその厚み方向に複数枚重ねて整列させてなるバイオセンサカートリッジを収納可能とし、目的の生体値測定を行う際、バイオセンサカートリッジ内に収納したバイオセンサを、その長手方向へ順次送出するバイオセンサ突き出し手段により、上記バイオセンサを一枚ずつ取り出すようにし、さらに、上記バイオセンサの残量を確認するバイオセンサ残量確認手段を備え、上記バイオセンサ残量確認手段が、上記バイオセンサ突き出し手段の動作回数をカウントするものとしたものである。
【００１２】
また、本発明の請求項２に係るバイオセンサ分与装置は、請求項１に記載のバイオセンサ分与装置において、上記バイオセンサ突き出し手段の動作回数のカウントを、電気的または機械的に行うものとしたものである。
【００１３】
また、本発明の請求項３に係るバイオセンサ分与装置は、請求項１に記載のバイオセンサ分与装置において、上記バイオセンサカートリッジの入れ替えに応じて、上記バイオセンサ突き出し手段の動作回数のカウントをリセットするものとしたものである。
【００１４】
また、本発明の請求項４に係るバイオセンサ分与装置は、請求項１に記載のバイオセンサ分与装置において、上記バイオセンサ残量確認手段が、さらに、上記バイオセンサカートリッジ内に上記バイオセンサの一定枚数ごとにダミーセンサを配置してなるものを含むものとしたものである。
【００１５】
また、本発明の請求項５に係るバイオセンサ分与装置は、請求項１に記載のバイオセンサ分与装置において、上記バイオセンサ残量確認手段が、さらに、当該バイオセンサ分与装置に設けた透明窓を介して上記バイオセンサの残量を目視可能とするものを含むものとしたものである。
【００１６】
また、本発明の請求項６に係るバイオセンサ分与装置は、請求項１に記載のバイオセンサ分与装置において、上記バイオセンサ残量確認手段が、さらに、複数のバイオセンサに通し番号を付与し、該バイオセンサの通し番号の目視により上記バイオセンサの残量を確認するものを含むものとしたものである。
【００１７】
また、本発明の請求項７に係るバイオセンサ分与装置は、請求項１に記載のバイオセンサ分与装置において、上記バイオセンサ残量確認手段が、さらに、上記バイオセンサカートリッジ内に上記バイオセンサの一定枚数ごとにダミーセンサを配置してなるものと、当該バイオセンサ分与装置に設けた透明窓を介して上記バイオセンサの残量を目視可能とするものと、複数のバイオセンサに通し番号を付与し、該バイオセンサの通し番号の目視により上記バイオセンサの残量を確認するものと、のうち、少なくとも２つを含むものとしたものである
【発明の効果】
【００１８】
本発明に係るバイオセンサ分与装置によれば、バイオセンサにより検出した電気的データを取得するバイオセンサ分与装置において、板状のバイオセンサをその厚み方向に複数枚重ねて整列させてなるバイオセンサカートリッジを収納可能とし、目的の生体値測定を行う際、上記バイオセンサを一枚ずつ取り出すようにし、上記バイオセンサの残量を確認するバイオセンサ残量確認手段を備えたので、小型で複数回の測定動作を連続的に行うことができ、さらに、使用者がバイオセンサの使用量などを把握しやすくし、操作性が良好なシステムを提供することができる効果がある。
【００１９】
また、上記バイオセンサカートリッジ内に収納したバイオセンサを、その長手方向へ順次送出するバイオセンサ突き出し手段を備え、上記バイオセンサ残量確認手段を、上記バイオセンサ突き出し手段の動作回数をカウントするものとしたので、バイオセンサカートリッジの入れ替えなどが行われても、その度ごとに本体のリセットを行うことで、確実な計測を行うことができる効果がある。
【００２０】
また、上記バイオセンサ突き出し手段の動作回数のカウントを、電気的または機械的に行うようにしたので、バイオセンサの使用回数を計測することができ、バイオセンサの使用量を容易に把握することができる効果がある。
【００２１】
また、上記バイオセンサカートリッジの入れ替えに応じて、上記バイオセンサ突き出し手段の動作回数のカウントをリセットするようにしたので、バイオセンサカートリッジの入れ替えが行われても、その都度、本体装置をリセットすることにより、確実に使用枚数を計測することができる効果がある。
【００２２】
また、上記バイオセンサ残量確認手段を、バイオセンサカートリッジ内に上記バイオセンサの一定枚数ごとにダミーセンサを配置してなるものとしたので、バイオセンサの残量をカウントしなくても、視覚的にバイオセンサの残量を判断することができる効果がある。
【００２３】
また、上記バイオセンサ残量確認手段を、当該バイオセンサ分与装置に設けた透明窓を介して上記バイオセンサの残量を目視可能としたので、容易に装置外部からバイオセンサの残量を確認することができる効果がある。
【００２４】
また、上記バイオセンサ残量確認手段を、複数のバイオセンサに通し番号を付与し、該バイオセンサの通し番号の目視により上記バイオセンサの残量を確認するものとしたので、操作者が容易にバイオセンサの残量を確認することができる効果がある。
【発明を実施するための最良の形態】
【００２５】
以下、本発明の実施の形態について説明する。
（実施の形態１）
本発明の実施の形態１によるバイオセンサカートリッジ、及びそれを取り付けたバイオセンサ分与装置は、一定方向に、複数枚積層させて収納したバイオセンサカートリッジをバイオセンサ分与装置に取り付けて、装置をコンパクトに設計し、連続的に測定を行えるようにしたものである。
【００２６】
図１は、本発明の実施の形態１によるバイオセンサ分与装置を示す外観斜視図である。
図１より、バイオセンサ分与装置３０は、本体ケース３４からなり、この本体ケース３４には、その表面に、バイオセンサ４６を収納したバイオセンサカートリッジ３８を本体ケース３４に嵌合させるために設けられた陥凹部（カートリッジ収納室）７０と、実施されている試験に関する情報を与えるために、表示ボタン部４７からの入力を処理し、蓄積された測定結果の情報の出力表示を行う表示画面５２と、本体ケース３４に取り付けたバイオセンサカートリッジ３８を視認することが可能な確認窓（バイオセンサ残量確認手段）２０６を設けた。また、本体ケースの試験端４４側には、バイオセンサ４６を本体ケース３４外部へ送出するバイオセンサ突き出し窓（バイオセンサ保持部材）１１９を備え、本体ケース３４の側面には、バイオセンサ４６をバイオセンサ突出窓１１９から送出させる操作を行うための操作ボタン（操作ボタン部）４０を備えている。
【００２７】
このように構成されたバイオセンサ分与装置について、その動作を図１を用いて説明する。
まず、バイオセンサカートリッジ３８を、その側面に形成されたカートリッジ誤装着防止部材（誤装着防止手段）１２４ａと、本体ケース３４の陥凹部７０に形成されたカートリッジ誤装着防止部材係合部（凹凸部）１２４ｂとを係合させるように挿入する。そして、陥凹部７０の開口部端部に設けた開閉蓋５４を閉じたならば、開閉蓋５４に設けられたカートリッジ押圧部材５８がバイオセンサカートリッジ３８を押すことで、装着が完了する。
【００２８】
続いて、操作ボタン４０には、指を載せて押圧するための凹部２１３が形成され、さらに、凹部２１３内に、後述するバイオセンサ突き出し防止機構の作動を解除する解除部材２１０が形成されている。そして、使用者は、解除部材２１０を押し込んだ後に、操作ボタン４０をスライドさせる。このようにして、バイオセンサ４６を測定位置に合わせてバイオセンサ突き出し窓１１９から、送出することができる。
【００２９】
次に、バイオセンサカートリッジに収納されたバイオセンサを１枚ずつ取り出す動作について、図２を用いて説明する。
図２は、本発明の実施の形態１によるバイオセンサ分与装置の側面を示す断面図である。
【００３０】
図２より、本体ケース３４は、バイオセンサカートリッジ３８を装填するバイオセンサカートリッジ装填口５５と、バイオセンサカートリッジ３８の装填を案内するバイオセンサカートリッジ案内壁３２を備えている。また、バイオセンサ４６を収納するバイオセンサカートリッジ３８内部には、バイオセンサ４６を積層方向に加圧するバイオセンサ押圧部材（加圧手段）１４２を備えている。バイオセンサカートリッジ３８を装填する陥凹部（図１、符号７０）には、バイオセンサカートリッジ３８の底面部に設けた開口部を塞ぐ封止ローラ（封止ローラ手段）１０５ａ、１０５ｂを係止する封止ローラ係止部材１０２ａ、１０２ｂと、封止ローラ１０５ａ、１０５ｂを昇降させる封止ローラ昇降部材（封止ローラ吊下げ部材）１０３を備えている。また、バイオセンサカートリッジ３８を備えた部位よりも本体ケースの試験端４４側には、バイオセンサカートリッジ３８より送出されたバイオセンサ４６を導出するベース部４１と、バイオセンサ４６と電気的な接続を行う電極アーム（電極保持部材）９５と、バイオセンサのセンサ電極部と導通する電極アームの接点部９６と、電極アーム９５を回動させる回転作用部１０１とを備えている。また、バイオセンサカートリッジ３８を備えた部位よりも本体ケースの後端４２側には、バイオセンサカートリッジ３８内部に収納したバイオセンサ４６を、その長手方向へ順次送出するバイオセンサ突き出し部材（バイオセンサ突出手段）４８を備え、バイオセンサ突き出し部材４８の上面には、バイオセンサ４６を送出したときに、回転作用部１０１と係合する電極アーム倒し壁２２０が備えられている。なお、その他の構成について図１と同じ部位は、同じ符号を付して説明を省略する。
【００３１】
このように構成されたバイオセンサ分与装置より、バイオセンサを１枚ずつ送出する動作について、図１、及び図２を用いて説明する。
本体ケース３４のバイオセンサカートリッジ装填口５５から、バイオセンサカートリッジ３８をバイオセンサカートリッジ案内壁３２に沿って配置した後、開閉蓋（図１、符号５４）を閉じたならば、開閉蓋５４の裏面に設けられたカートリッジ押圧部材５８がバイオセンサカートリッジ３８を押すことにより固定される。
【００３２】
続いて、本体ケース３４の側面に備えた操作ボタン（図１、符号４０）を、本体ケースの試験端４４側、あるいは本体ケースの後端４２側にスライド動作させることにより、バイオセンサ突き出し部材４８が操作ボタンの動作と連動して、バイオセンサカートリッジ３８に収納されたバイオセンサ４６を押し出す。バイオセンサカートリッジ３８から押し出されたバイオセンサ４６は、先端部分が引っかからないように、バイオセンサの基底部分をベース部４１により底面側が案内される。そして、バイオセンサ突き出し窓（バイオセンサ保持部材）１１９よりバイオセンサ４６を送出する。また、このとき、バイオセンサ突き出し部材４８の電極アーム倒し壁２２０が回転作用部１０１に当接して回転させ、電極アームの接点部９６がバイオセンサ４６に当接して、電気的に接続された状態になる。
【００３３】
次に、バイオセンサの構成について、図３を用いて説明する。
図３は、本発明の実施の形態１によるバイオセンサの構成を示す斜視図である。また、図３（ａ）は、バイオセンサを分解した斜視図であり、図３（ｂ）は、図３（ａ）のバイオセンサの各部位を積層させた図である。
【００３４】
図３より、バイオセンサ４６は、その一端にバイオセンサ後端切り欠き部（凹部）１１５が形成された基底部分５６の表面に対極５、及び測定極４、それらに連なるリード線２、及びリード線３、さらに絶縁層６が設けられ、バイオセンサ後端切り欠き部１１５側にバイオセンサ分与装置３０と電気的接続を行うセンサ電極部（電極部）１０９が形成されている。そして、この基底部分５６の表面を、測定極４に相応する部位に空気孔となるＵ字状の切り欠き部８を形成したスペーサ７と、スペーサ７の切り欠き部８に連絡する試料供給孔１を形成したカバー９とを順次覆い、基底部分５６、スペーサ７、カバー９の３者を互いに固定することにより、図３（ｂ）に示すバイオセンサ４６が構成される。また、図３（ｂ）より、電極段差部１５１は、図３（ａ）よりバイオセンサ４６を形成したときに設けられたものであり、点着部１００は試料を滴下する部分である。
【００３５】
つまり、センサ電極部１０９が電極アームの接点部９６を介して、バイオセンサ分与装置３０と電気的接続が可能になったとき、バイオセンサ４６の酵素を含んだ点着部１００側の試料供給孔１に試料を滴下すると、試料は毛管現象により対極５、及び測定極４上に導かれ、測定した結果をバイオセンサ電極部１０９により出力することができる。
【００３６】
また、バイオセンサ４６はポリエチレンテレフタレート（ＰＥＴ）などの樹脂シートにより構成されており、バイオセンサ４６の点着部１００からバイオセンサ電極部１０９の間の基底部分５６は、バイオセンサ電極部１０９近傍の樹脂シート領域においてその周辺の樹脂シートと接合されている。
【００３７】
続いて、複数のバイオセンサが収納されたバイオセンサカートリッジの構成について、図４を用いて説明する。
図４は、本発明の実施の形態１によるバイオセンサカートリッジ、及び封止ローラ部の側面から見た断面模式図であり、図４（ａ）は、バイオセンサカートリッジの開口部分が閉じられている状態を示す図であり、図４（ｂ）は、バイオセンサカートリッジの開口部分が開放されている状態を示す図である。
【００３８】
図４より、バイオセンサカートリッジ３８は、バイオセンサ４６を収納するバイオセンサ収納室９８を設けたカートリッジケース１１０と、カートリッジケース１１０の上面を開閉する蓋部１１４とから構成されている。バイオセンサ４６は、バイオセンサ収納室９８に同一方向に積層されて収納されている。そして、カートリッジケース１１０の上面が蓋部１１４により閉じられたときに、バイオセンサ押圧部材（加圧手段）１４２が積層されたバイオセンサ４６の上面を押圧して固定している。このとき、バイオセンサ押圧部材１４２がバイオセンサ４６の平面部分に当接する部分の面積を、バイオセンサ４６の平面部分の面積よりも大きくなるようにする。また、カートリッジケース１１０の上面には、乾燥剤１１２を収納した乾燥剤収納室を備えており、バイオセンサ収納室９８内を乾燥状態に保っている。また、乾燥剤収納室の壁面には、バイオセンサ収納室を効率的に乾燥させるために複数の開口部（図示せず）が形成されている。
【００３９】
カートリッジケース１１０の底面部分には、バイオセンサ突き出し部材４８が挿入されるバイオセンサ突き出し部材入口１４１と、バイオセンサ突き出し部材４８が挿入されることによりバイオセンサ４６が取り出されるバイオセンサ突き出し口１４０とが開口されている。そして、バイオセンサ突き出し部材入口１４１と、バイオセンサ突き出し口１４０とを塞ぐ封止ローラ（封止ローラ手段）１０５ａ、及び１０５ｂが設置されている。また、バイオセンサ突き出し部材入口１４１、及びバイオセンサ突き出し口１４０の外面側には、円筒形状の封止ローラ押圧用の凹部１１３が形成され、そこに可撓性を有する弾性部材からなる封止ローラ１０５ａ、１０５ｂが当接して、開口部分を塞ぐように形成されている。
【００４０】
このように構成されたバイオセンサカートリッジについて、その動作を図４を用いて説明する。
まず、バイオセンサカートリッジ３８がバイオセンサ分与装置に装着されると、封止ローラ１０５ａ、及び１０５ｂが、バイオセンサカートリッジ３８のバイオセンサ突き出し部材入口１４１と、バイオセンサ突き出し口１４０とに形成された封止ローラ押圧用の凹部１１３に当接し、密着して開口部分を塞ぐように配置される（図４（ａ））。次に、バイオセンサ４６を排出するときは、操作ボタン（図１、符号４０）を作動することにより、封止ローラ１０５ａ、及び１０５ｂが封止ローラ可動範囲の上面まで移動して、バイオセンサ突き出し部材入口１４１、及びバイオセンサ突き出し口１４０から退避する。そして、バイオセンサ突き出し部材４８が、バイオセンサ突き出し部材入口１４１側からバイオセンサ４６を突き出すことにより、バイオセンサ突き出し口１４０よりバイオセンサ４６を排出することができる（図４（ｂ））。このとき、バイオセンサ突き出し部材４８の厚みをバイオセンサ４６の厚みより小さくすることで、確実にバイオセンサ４６を１枚ずつ突き出すことができる。
【００４１】
なお、バイオセンサカートリッジ３８は、ポリプロピレン（ＰＰ）樹脂など透水性の極めて低い材料で形成し、さらに、成型により肉厚を１ｍｍ以上にとることによって、確実にカートリッジケース１１０としての防水性を確保できる。
【００４２】
また、バイオセンサ収納室９８は、個々のバイオセンサ４６が、外気と連通することなく乾燥状態に保たれるように、封止ローラ１０５ａ、及び１０５ｂにより、外気と隔離された状態で密閉されている。その結果、個々のバイオセンサ４６の測定動作時に起こる個々のバイオセンサ４６の大気への開放動作は、バイオセンサ収納室９８に積層された状態で装填されている未使用のバイオセンサ４６に対しては、測定時の短時間のみ大気へ暴露されるだけであるため、いずれの乾燥状態にも大きく影響することがない。
【００４３】
また、バイオセンサカートリッジ３８をバイオセンサ分与装置３０へ取り付けるときの装着力は、操作性を妨げない程度に設定するものとし、一個あたり１Ｎ（１００ｇｆ）以下の低い荷重に設定した。また、封止ローラ１０５ａ，１０５ｂの表面には、圧縮残留ひずみの低い材料である、シリコンゴムやニトリルゴム（ＮＢＲ）、あるいはエチレンプロピレン共重合体（ＥＰＤＭ）などの弾性体やエラストマーを用いることにより、押圧時に相手材であるカートリッジケース１１０と馴染みやすい形状とすることができ、封止性や密着性を高めることができる。
【００４４】
以上のような、本実施の形態１に係るバイオセンサカートリッジ、及びそれを取り付けたバイオセンサ分与装置は、厚み方向に積層させたバイオセンサをバイオセンサカートリッジに収納し、そのバイオセンサカートリッジをバイオセンサ分与装置に取り付けて１枚ずつ取り出すようにしたので、バイオセンサカートリッジの大きさ、及び面積を小さくすることができるため、バイオセンサ分与装置を小型化させることができ、しかも、複数回の測定動作を連続的に行うことができる。
【００４５】
また、バイオセンサカートリッジは、バイオセンサが同一方向に向いた状態で積層させて収納するものとしたので、バイオセンサ保存時の姿勢や方向を変える機構などが不要であり、簡易な機構でバイオセンサの送出が可能である。
【００４６】
また、バイオセンサカートリッジ内部に収納したバイオセンサと、乾燥剤との収納位置が、バイオセンサカートリッジの厚み方向に重なった状態で収納されているので、バイオセンサ分与装置内でのバイオセンサカートリッジの占有面積を小さくすることができ、小型化を図ることができる。
【００４７】
また、バイオセンサカートリッジは、その内部に上面から下面へバイオセンサを積層方向に加圧するバイオセンサ押圧部材を設けたので、バイオセンサ単体に生じる反りや浮きなどを抑えることができ、確実にバイオセンサを突き出すことができる。
【００４８】
また、バイオセンサカートリッジに設けたバイオセンサ押圧部材のバイオセンサの平面部に当接する部分の面積が、上記バイオセンサの平面部の面積より大きくなるようにしたので、確実にバイオセンサを押圧することができる。
【００４９】
また、バイオセンサカートリッジを本体ケースの陥凹部に取り付けるときに、バイオセンサカートリッジの側面に設けたカートリッジ誤装着防止部材と、陥凹部に設けたカートリッジ誤装着防止部材係合部とを係合させて取り付けるようにしたので、バイオセンサカートリッジの誤装着を防止することができる。
【００５０】
なお、カートリッジ誤装着防止部材、及びカートリッジ誤装着防止部材係合部は、バイオセンサカートリッジの底面部、上面部、及び封止ローラの可動範囲以外の部分に設ければよく、数も１個に限るものではなく、複数個備えるようにしてもよい。このように構成することで、確実にバイオセンサカートリッジを装着することができ、かつ、封止ローラの動作を妨げることなく、封止ローラは、確実にバイオセンサカートリッジの封止、及び開放を行うことができる。
【００５１】
また、バイオセンサの長手方向に対して、バイオセンサ突き出し手段の動作方向と、電気的接続手段とが概略同一直線状に配列するようにしたので、バイオセンサを直線的に送るため、バイオセンサに負荷を与えることなく、測定後のバイオセンサの廃棄動作も複雑な機構を必要とすることがない。
【００５２】
また、バイオセンサは、バイオセンサカートリッジに複数枚同一方向に向いた状態で積層したので、バイオセンサ保存時の姿勢や方向を変える機構などが不要であり、簡易な機構でバイオセンサを送出することが可能である。
【００５３】
また、バイオセンサカートリッジの蓋部に形成された乾燥剤収納室に乾燥剤を収納するものとしたので、バイオセンサ収納室の容量を大きくすることができ、コンパクトなバイオセンサカートリッジを設計することができる。
【００５４】
なお、乾燥剤収納室の壁面に、複数の開口部を形成するようにしてもよく、このように形成することで、バイオセンサ収納室を効率よく乾燥させることができる。
【００５５】
また、バイオセンサ突き出し部材の厚みをバイオセンサの厚みより小さくなるように形成したので、確実にバイオセンサを１枚ずつ突き出すことができる。
【００５６】
また、バイオセンサカートリッジの開口部を円筒状の凹部に形成したので、封止ローラを確実にバイオセンサカートリッジの開口部を含んだ周辺に当接することができ、確実にバイオセンサカートリッジの封止を行うことが可能となる。
【００５７】
また、封止ローラは、可撓性を有する弾性部材で形成するものとしたので、確実にバイオセンサカートリッジの開口部を封止することができる。
【００５８】
なお、封止ローラの弾性体を圧縮残留歪みの低い材料で形成することにより、バイオセンサカートリッジを長時間使用しても、ローラ部分に変形が残ることなく確実に封止することができる。
【００５９】
また、バイオセンサカートリッジは、透水性のほとんどない材料で形成することにより、バイオセンサが保存状態におかれたときの湿度管理を確実に行うことができる。
【００６０】
また、バイオセンサカートリッジの肉厚を１ｍｍ以上とすることで、バイオセンサカートリッジの材料を透過する水分を抑えることができ、バイオセンサの劣化を防ぐことができる。
【００６１】
また、バイオセンサを排出する操作ボタンは本体ケースの側面に取り付けたので、表示画面の視認性を妨げることなく、操作ボタンを試験端へスライドさせることができる。
【００６２】
（実施の形態２）
本発明の実施の形態２によるバイオセンサカートリッジ、及びそれを取り付けたバイオセンサ分与装置は、バイオセンサを押し出すバイオセンサ突き出し手段と連動する操作ボタンに安全機構（バイオセンサ突き出し防止機構）を設けて、該安全機構を解除することにより、バイオセンサを押し出すようにしたものである。
【００６３】
図５は、本発明の実施の形態２によるバイオセンサ分与装置の上面を示す断面図である。また、図６は、本発明の実施の形態２によるバイオセンサ分与装置の後端部を示す断面図である。
【００６４】
図５、及び図６より、解除部材２１０は、操作ボタン４０の凹部２１３に形成されたものである。解除部材押圧部２１２は、弾性部材で構成され、解除部材２１０は、解除部材押圧部２１２を介して、操作ボタン４０側に付勢するように形成されている。バイオセンサ突き出し部材拡大ギア（歯車）１１６は、解除部材２１０が操作ボタン４０の裏面に押し込まれたときに、操作ボタン４０が摺動可能となるように動作するものである。加圧バネ１０８は、カートリッジケース１１０を押圧する封止ローラ１０５ａ、及び１０５ｂに加圧力を与えるものである。なお、その他の構成について、図１、及び図２と同じ部位は、同じ符号を付して説明を省略する。
【００６５】
このように構成されたバイオセンサ分与装置より、バイオセンサを１枚ずつ送出する操作ボタンについて、図５、及び図６を用いて説明する。
バイオセンサ突き出し部材４８と連動する操作部である操作ボタン４０の近傍あるいは、内部において、不用意な操作に対する安全機構の作動を解除する解除部材２１０が、操作ボタン４０に形成された、指を載せて押圧するための凹部２１３内に設けられている。この解除部材２１０は、押しこまれるとき、操作ボタン４０の裏面に押しこまれた後に潜りこむことにより、操作ボタン４０がスライド動作や回動中に、操作ボタン４０の裏面に対して摺動可能であり、その押しこまれた位置で弾性部材で構成された解除部材押圧手段２１２で押し返されるように操作ボタン４０側に付勢される。そして、一連の操作が終了した後、操作ボタン４０が初期位置へ帰ってきたならば、使用者が操作ボタン４０から指を離せば、操作ボタン４０に形成された凹部２１３内に設けられた解除部材２１０の覗き窓２１１から、解除部材２１０が突き出す状態になり、ホームポジションに復帰する。
【００６６】
また、操作ボタン４０は、バイオセンサ突き出し部材４８と連動し、バイオセンサ突き出し部材４８を移動させるためのギアやラックなどの歯車機構の一部を形成しており、図６に示すように、解除部材２１０を押すと、封止ローラ昇降部材１０３の一端と解除部材２１０の一端とが当接後、支点を中心にして回動する。そして、封止ローラ昇降部材１０３の他端に係止されている封止ローラ係止部材１０２が昇降動作を行うことで、封止ローラ１０５ａ、１０５ｂが上方へ移動し、バイオセンサ突き出し口１４０、及びバイオセンサ突き出し部材入口１４１の開閉動作が可能となる。
【００６７】
このように本実施の形態２によるバイオセンサカートリッジ、及びそれを取り付けたバイオセンサ分与装置によれば、バイオセンサを押し出すバイオセンサ突き出し手段と連動する操作ボタンが、解除部材を含む安全機構と一体となるように配置されるので、不用意な操作によるバイオセンサの突き出しを防止するとともに、安全機構と一体である操作ボタンによりバイオセンサを順次送出し、復帰動作をすることによって、使用済みのセンサを清潔に排除できる。
【００６８】
また、解除部材を操作ボタン部に形成された凹部に設けたので、測定動作において、容易に安全機構の解除動作が可能である。
【００６９】
また、解除部材は、装置外部に付勢する弾性部材で構成された押圧部材を介して、操作ボタン部の裏面で摺動するので、操作ボタン部がスライドした後の解除部材の姿勢をロックする機構を必要とせず、既存の操作ボタンの形状を利用することで、確実な動作を行うことができる。
【００７０】
また、操作ボタンは、バイオセンサ突き出し部材と連動し、バイオセンサ突き出し部材を移動させるための、ギアやラックなどの歯車機構の一部を形成するようになっているので、バイオセンサのセット手段と、バイオセンサの突き出し手段とを共用することができる。
【００７１】
また、解除部材は、封止ローラ吊下部材と連動して動作するようにしたので、確実に、封止ローラをバイオセンサ突き出し口、及びバイオセンサ突き出し部材入口から解除することにより、バイオセンサの取り出しを行えるようにすることができる。
【００７２】
（実施の形態３）
本発明の実施の形態３によるバイオセンサカートリッジ、及びそれを取り付けたバイオセンサ分与装置は、バイオセンサを測定位置に設置したときに、確実に電気的接続を行い、かつ、測定後のバイオセンサが再び装置内に侵入することなく装置外に排出するようにしたものである。
【００７３】
図７は、本発明のバイオセンサ分与装置のバイオセンサの測定位置にセットした状態での電極接点部を示す断面図である。
【００７４】
図７より、バイオセンサ返り止め部１２２は、樹脂バネなどの弾性部材で構成され、バイオセンサ４６がバイオセンサ突き出し窓（バイオセンサ保持部材）１１９より点着部１００が排出されたときに、バイオセンサの電極段差部１５１に当接し、バイオセンサ４６が、再び装置内部に侵入しないように、抵抗部材として働く。なお、その他の構成について、図２、及び図３と同じ部位は、同じ符号を付して説明を省略する。
【００７５】
このように構成されたバイオセンサ分与装置について、その動作を説明する。
まず、バイオセンサ４６は、バイオセンサ突き出し窓１１９の位置まで送られると、バイオセンサ突き出し部材の形状の一部を利用して設けられた電極アーム倒し壁２２０が電極アーム（電極保持部材）９５に設けられた回転作用部１０１を倒しきった位置まで移動して止められることにより、バイオセンサ４６のセット動作が完了され、バイオセンサ４６のセンサ電極部１０９と電極アームの接点９６は電気的に接続した状態となる。この位置において、バイオセンサ４６が、バイオセンサ突き出し窓１１９内に設けられたバイオセンサ返り止め部１２２を通過して、バイオセンサ電極部１０９に形成された電極段差部１５１を乗り超えた位置において、樹脂バネなどの弾性部材により形成されたバイオセンサ返り止め部１２２がバイオセンサ電極部１０９を押した状態になるまで該バイオセンサ４６は、その長手方向へスライド動作されてバイオセンサ突き出し部材を操作することにより、バイオセンサ４６の基底部分にあるバイオセンサ電極部１０９を押し下げることになる。ここで、抵抗部材としての樹脂バネとなるバイオセンサ返り止め１２２を、その先端部と上記バイオセンサ４６の電極段差部１５１とを当てることとなり、これにより、バイオセンサ４６の点着部１００が、バイオセンサカートリッジの内部から突き出してセッティングされ、血液などの生体試料を点着する準備が完了することになる。
【００７６】
このように本実施の形態３によるバイオセンサカートリッジ、及びそれを取り付けたバイオセンサ分与装置によれば、バイオセンサを測定位置へ保持するバイオセンサ突き出し窓を備え、バイオセンサ突き出し窓にバイオセンサが配置されたときに、バイオセンサを係止するバイオセンサ返り止め部を備えたので、測定後にバイオセンサが測定器内部へ逆戻りして侵入することを防ぎ、装置の故障などによるバイオセンサの不具合を防ぐことができる。
【００７７】
また、バイオセンサ返り止め部の先端部分が、バイオセンサの電極段差部に当接するようにしたので、個々のバイオセンサが装置本体内部へ脱落するのを防ぐことができる。
【００７８】
また、電極アームの接点部が、バイオセンサ返り止め部を挟む位置でバイオセンサのセンサ電極部に当接するようにしたので、電気的な接触を確実に保つことができる。
【００７９】
また、電極アームは、バイオセンサ突き出し部材を動作させることにより回動するようにしたので、電気的な動力を必要とせず、また、確実にバイオセンサのセンサ電極部への接続を行うことができる。
【００８０】
（実施の形態４）
本発明の実施の形態４によるバイオセンサカートリッジ、及びそれを取り付けたバイオセンサ分与装置は、カートリッジケースの内壁にリブを形成して、バイオセンサの誤装填を防ぎ、バイオセンサのスライド動作を滑らかに行うようにしたものである。
【００８１】
図８は、本発明の実施の形態４によるカートリッジケース、及びカートリッジケースに収納されたバイオセンサの断面図である。図８（ａ）はカートリッジケースの上面を示す断面図、図８（ｂ）はバイオセンサの上面を示す図、図８（ｃ）はカートリッジケースの前方、又は後方を示す断面図である。
【００８２】
図８より、バイオセンサ位置決めリブ１１１ａ〜１１１ｆは、カートリッジケース１１０の内壁に形成され、バイオセンサ４６を収納したときの位置を決めるものである。また、カートリッジ底面リブ１５５は、カートリッジケース１１０の底面に形成されたリブであり、バイオセンサを積層したときの位置を決めるものである。なお、その他の構成について、図３、及び図４と同じ部位は、同じ符号を付して説明を省略する。
【００８３】
このように構成されたカートリッジケースについて、その動作を図８を用いて説明する。
図８（ａ）に示すように、カートリッジケース１１０内にバイオセンサ４６を積層して収納するときは、バイオセンサ位置決めリブ１１１により概略的に収納位置を決めることができる。バイオセンサ位置決めリブ１１１のうち、バイオセンサ突き出し口１４０側の内壁に設けられたバイオセンサ位置決めリブ１１１ｆのリブの高さｂと、バイオセンサ突き出し部材入口１４１側の内壁に設けられたバイオセンサ位置決めリブ１１１ｂのリブの高さｃは異なるように形成されている。また、図８（ｂ）に示すように、バイオセンサ４６の後端部分には、バイオセンサ後端切り欠き部１１５が形成されており、その凹部は、深さａの距離だけ切り欠かれている。つまり、バイオセンサ４６をカートリッジケース１１０に装填するときに、バイオセンサ位置決めリブ１１１ｂにバイオセンサ後端切り欠き部１１５が配置するようにしたものである。
【００８４】
この状態で、図８（ｂ）に示すように、バイオセンサ４６のバイオセンサ後端切り欠き部１１５の底位置から先端部の点着部１００までの距離をＬｓとし、図８（ａ）に示すように、上記バイオセンサ位置決めリブ１１１ｆと１１１ｂとの距離をＬｃとした場合、バイオセンサ４６のカートリッジケース１１０への組立工程での装填時の誤装填を防ぎ、カートリッジケース１１０の内壁面に直接バイオセンサ４６の一部が接触させないようにして、バイオセンサ４６の動作に対する摩擦力を低く抑えるためには、バイオセンサ４６がカートリッジケース１１０に収納されたときに、バイオセンサ位置決めリブ１１１ｆの頂点のみと接触させる必要がある。その対策として、Ｌｃ＞Ｌｓ、かつａ＞ｂ、かつｃ＞ａ、かつ（Ｌｃ＋ｂ＋ｃ）＞（Ｌｓ＋ａ）とすることにより、バイオセンサ４６の外周のいかなる部分も、バイオセンサ位置決めリブ１１１のみと接触できる。
【００８５】
また、バイオセンサ４６の外周部が、カートリッジケース１１０の内壁面のうち、バイオセンサ位置決めリブ１１１ｆ、及び１１１ｂを形成した面以外の内壁部と接触しないようにするために、カートリッジ１１０に収納されたバイオセンサ４６の長手方向の側面に対応する内壁面に、各々２本のバイオセンサ位置決めリブ１１１ｃ、１１１ｄ、あるいは１１１ａ、１１１ｅを設けた。
【００８６】
また、図８（ｃ）に示すように、積層したバイオセンサ４６を受けるカートリッジケース１１０の開口部の底面の両端部分にカートリッジ底面リブ１５５を設け、カートリッジ底面リブ１５５の高さを、バイオセンサ突き出し部材の厚みより小さくなるように形成した。さらに、両端に設けたカートリッジ底面リブ１５５間の距離を、バイオセンサ突き出し部材の幅よりも大きくなるように形成した。
【００８７】
このように本実施の形態４によるバイオセンサカートリッジ、及びそれを取り付けたバイオセンサ分与装置によれば、バイオセンサカートリッジの内壁にリブを形成したので、バイオセンサの配置位置を決定し、また、滑らかにスライド動作させることができる。
【００８８】
また、バイオセンサカートリッジの内壁に形成したリブのうち、バイオセンサの後端側の内壁に形成したリブの高さを、試験端側の内壁に形成したリブの高さよりも高くなるように形成し、かつバイオセンサの後端側に凹部を形成したので、バイオセンサの装填を容易にし、誤装填を防ぐことができる。
【００８９】
なお、バイオセンサカートリッジの内壁に形成したリブの高さは任意に設定すればよく、このように設定することで、バイオセンサをバイオセンサカートリッジへ装填するときの誤装填を防ぐことができ、バイオセンサのスライド動作に対する摩擦力を低く抑えることができる。
【００９０】
また、バイオセンサカートリッジの長手方向の側面に対応する内壁面にリブを２本形成するものとしたが、リブの数は、少なくとも２本以上に、任意に設定することができ、このように構成することにより、バイオセンサをバイオセンサカートリッジに装填するときの誤装填を防ぐことができる。
【００９１】
また、バイオセンサカートリッジの底面に設けたリブの高さを、バイオセンサ突き出し部材の厚みより小さくなるようにしたので、バイオセンサを１枚ずつバイオセンサカートリッジから確実に突き出せることができる。
【００９２】
また、バイオセンサカートリッジの開口部の底面の両端部分に設けたリブ間の距離を、バイオセンサ突き出し部材の幅よりも大きくしたので、バイオセンサ突き出し部材がバイオセンサカートリッジに突き当たることなく、バイオセンサカートリッジの底面部に配置されたバイオセンサを確実に突き出すことができる。
【００９３】
（実施の形態５）
本発明の実施の形態５によるバイオセンサカートリッジ、及びそれを取り付けたバイオセンサ分与装置は、バイオセンサカートリッジに収納されたバイオセンサの残量を確認できるようにしたものである。
【００９４】
図９は、本発明の実施の形態５によるバイオセンサカートリッジ、及び封止ローラの側面から見た断面模式図である。
【００９５】
図９より、バイオセンサ残量確認窓１１７は、カートリッジケース１１０の側面に形成された、透明部材からなるバイオセンサの残量を確認するものである。ダミーセンサ２００は、バイオセンサカートリッジ３８に収納された複数のバイオセンサ４６に対して、一定枚数毎に含ませたものであり、バイオセンサ４６の残量を知らせるものである。なお、その他の構成について、図４と同じ部位は、同じ符号を付して説明を省略する。
【００９６】
次に、バイオセンサの残量を確認するための動作について説明する。
バイオセンサ残量確認可能化手段として、バイオセンサカートリッジ３８のカートリッジケース１１０に設けたバイオセンサ残量確認窓１１７は、同時にバイオセンサ分与装置３０本体側にも内部のバイオセンサカートリッジ３８を視認可能にするための確認窓（図１、符号２０６）を設けることにより、視覚的に容易にバイオセンサ４６の残量を確認することができる。
【００９７】
また、バイオセンサ残量確認手段として、ダミーセンサ２００をバイオセンサ収納室９８に、バイオセンサ４６の一定枚数毎に含ませ、かつバイオセンサ４６の残量が少なくなったダミーセンサ２００の色や形状を変えることにより、使用者に対して、容易にバイオセンサ４６の残量が少なくなったことを知らせることができる。
【００９８】
また、バイオセンサ残量確認手段を備えるのに代えて、個々のバイオセンサ４６に通し番号を付与し、該通し番号の目視により、現在使用中のバイオセンサ４６が何枚目のものであるか、あるいは残量数を知ることができ、測定毎に、バイオセンサ４６の残量を把握することができる。
【００９９】
また、別の残量確認手段として、バイオセンサ突き出し部材４８がバイオセンサ４６を突き出したときの動作を電気的、あるいは機械的にカウントすることにより、バイオセンサ４６の使用回数を計測することができ、バイオセンサ４６の使用量を容易に把握することができる。
【０１００】
このように本実施の形態５によるバイオセンサカートリッジ、及びそれを取り付けたバイオセンサ分与装置によれば、バイオセンサの残量を確認するための透明な窓を設けることにより、容易に装置外部からバイオセンサの残量を確認することができる。
【０１０１】
また、バイオセンサカートリッジに一定枚数毎にダミーセンサを内包することにより、バイオセンサの残量をカウントしなくても、視覚的にバイオセンサの残量を判断することが可能である。
【０１０２】
また、個々のバイオセンサに通し番号を付与し、該バイオセンサの通し番号の目視により、容易にバイオセンサの残量数を確認することができる。
【０１０３】
また、バイオセンサ突き出し部材の動作をカウントすることにより、バイオセンサカートリッジの入れ替えなどが行われても、その都度、本体装置をリセットすることにより、確実に使用枚数を計測することができる。
【０１０４】
なお、上述したバイオセンサの残量確認は、いずれか１つの手段及び方法を用いるようにしても、あるいは２つ以上の手段及び方法を組み合わせても構わない。
【実施例１】
【０１０５】
以下、本発明のバイオセンサカートリッジ、及びそれを取り付けたバイオセンサ分与装置を用いて、血液の血中グルコースを測定する場合を例に取り説明を行う。なお、本発明は、以下の実施例に何ら制約されるものではない。
【０１０６】
まず、使用者が、バイオセンサカートリッジ３８を陥凹部７０に取り付けたとき、陥凹部７０内と係合するラッチを用いて、本体ケース３４内部に留めることができる。また、陥凹部７０内に係合されたラッチを開放することにより、本体ケース３４からバイオセンサカートリッジ３８を取り出すことができる。
【０１０７】
そして、操作ボタン４０を操作することによりバイオセンサ４６が試験端４４に移動したならば、バイオセンサ分与装置３０は、表示モードに設定される。そして、バイオセンサカートリッジ３８に関する情報と、実施された試験に関する情報は、表示画面５２に表示される。表示画面５２に表示される情報は、本体ケース３４から突出する表示ボタン部４７を作動することにより制御することができる。また、表示ボタン部４７は、表示画面５２の表示に従って、プリント配線基板の電気回路に情報を入力するためにも用いることができる。
【０１０８】
また、試験を実施するとき、使用者は、操作ボタン４０を試験端４４側へ回動操作することにより、試験モードに設定することができる。
【０１０９】
そして、試験端４４から突き出されたバイオセンサ４６の点着部１００に、血液（例えば、人の指を穿刺した後、指に蓄積される血液）を点着させると、点着部１００には、そこに配置された生物学的感知、または試薬材料へと延びる毛細管が与えられているので、流体の一部が、毛管作用によって毛細管に吸い込まれるため、試験を行うのに充分な量の血液が、バイオセンサ４６に吸い込まれる。次に、バイオセンサ４６に吸い込まれた血液は、バイオセンサ４６内の試薬材料と化学的に反応する結果、試験しようとする血液の血中グルコースレベルを示す電気信号が、プリント配線基板（図示せず）の電気回路（図示せず）に結合された電極アームの接点部９６に与えられる。
【０１１０】
そして、試験が終了すると、バイオセンサ４６に付勢していた電極アーム９５を操作する操作ボタン４０を所定の動作により操作することで、電極アーム９５の付勢を解除することができ、バイオセンサ４６をバイオセンサ分与装置３０内部から排出することができる。
【０１１１】
使用者は、試験に関する情報、またはデータの入力を完了したとき、操作ボタン４０を操作することによって、バイオセンサ４６を試験端４４から排出させることができる。このとき、バイオセンサ分与装置３０は、電源をＯＦＦの状態か、または待機の状態におかれる。
【産業上の利用可能性】
【０１１２】
本発明は、使用中のバイオセンサカートリッジ内のバイオセンサの残量確認を容易に行うことができるので、バイオセンサ測定機能を有するバイオセンサカートリッジを取り付けたバイオセンサ分与装置に有用である。
【図面の簡単な説明】
【０１１３】
【図１】本発明の実施の形態１によるバイオセンサ分与装置を示す外観斜視図である。
【図２】本発明の実施の形態１によるバイオセンサ分与装置の側面を示す断面図である。
【図３】本発明の実施の形態１によるバイオセンサの構成を示す斜視図である。
【図４】本発明の実施の形態１によるバイオセンサカートリッジ、及び封止ローラ部の側面から見た断面模式図である。
【図５】本発明の実施の形態２によるバイオセンサ分与装置の上面を示す断面図である。
【図６】本発明の実施の形態２によるバイオセンサ分与装置の後端部を示す断面図である。
【図７】本発明のバイオセンサ分与装置のバイオセンサの測定位置にセットした状態での電極接点部を示す断面図である。
【図８】本発明の実施の形態４によるカートリッジケース、及びカートリッジケースに収納されたバイオセンサの断面図である。
【図９】本発明の実施の形態５によるバイオセンサカートリッジ、及び封止ローラの側面から見た断面模式図である。
【図１０】従来のバイオセンサを用いたバイオセンサ分与装置の斜視図である。
【符号の説明】
【０１１４】
１  試料供給孔
２、３  リード線
４  測定極
５  対極
６  絶縁層
７  スペーサ
８  切り欠き部
９  カバー
３０  バイオセンサ分与装置
３２  バイオセンサカートリッジ案内壁
３４  本体ケース
３８  バイオセンサカートリッジ
４０  操作ボタン
４１  ベース部
４２  本体ケースの後端
４４  本体ケースの試験端
４６  バイオセンサ
４７  表示ボタン部
４８  バイオセンサ突き出し部材
５２  表示画面
５４  開閉蓋
５５  バイオセンサカートリッジ装填口
５６  基底部分
５８  カートリッジ押圧部材
７０  陥凹部
９５  電極アーム
９６  電極アームの接点部
９８  バイオセンサ収納室
１００  点着部
１０１  回転作用部
１０２  封止ローラ係止部材
１０３  封止ローラ昇降部材
１０５ａ、１０５ｂ  封止ローラ
１０８  加圧バネ
１０９  センサ電極部
１１０  カートリッジケース
１１１  バイオセンサ位置決めリブ
１１２  乾燥剤
１１３  封止ローラ押圧用の凹部
１１４  蓋部
１１５  バイオセンサ後端切り欠き部
１１６  バイオセンサ突き出し部材拡大ギア
１１７  バイオセンサ残量確認窓
１１９  バイオセンサ突き出し窓
１２２  バイオセンサ返り止め部
１２３  センサ押圧バネ
１２４ａ  カートリッジ誤装着防止部材
１２４ｂ  カートリッジ誤装着防止部材係合部
１４０  バイオセンサ突き出し口
１４１  バイオセンサ突き出し部材入口
１４２  バイオセンサ押圧部材
１５１  電極段差部
１５５  カートリッジ底面リブ
２００  ダミーセンサ
２０６  確認窓
２１０  解除部材
２１１  覗き窓
２１２  解除部材押圧部
２１３  操作ボタン凹部
２２０  電極アーム倒し壁
３００  バイオセンサ分与装置
３０１  上部ケース
３０２  下部ケース
３０３  外側ハウジング
３０４  分与装置本体の後端
３０５  試験端
３０６  スライドアクチュエータ
３０８  センサパック接点
３０９  センサパック保持爪
３１０  バイオセンサパック
３１１  乾燥剤キャビティ
３１２  バイオセンサ保持キャビティ
３１３  切り欠き部
３１４  スライドラッチ
【図１】
2008111850.tif 000003
【図２】
2008111850.tif 000004
【図３】
2008111850.tif 000005
【図４】
2008111850.tif 000006
【図５】
2008111850.tif 000007
【図６】
2008111850.tif 000008
【図７】
2008111850.tif 000009
【図８】
2008111850.tif 000010
【図９】
2008111850.tif 000011
【図１０】
2008111850.tif 000012